(57)【要約】      （修正有）【課題】製造コストを抑えつつ、省エネルギー性およびメンテナンス性にも優れた防犯灯を提供する。【解決手段】ＬＥＤ防犯灯は、主として、電源ユニット４０、ＬＥＤ基板１０、反射板２３等及び格納器具３０により、構成する。ＬＥＤ基板１０は、その短軸方向に５列、長軸方向に１５列、ＬＥＤ光源を設ける。反射板は、９板の四角形平面状反射板２３，２４ａ，２５ａ，２６ａ等をＬＥＤ基板１０の上下左右及び後方を囲むように、かつ所定の角度を与えて、照度基準を達成できるように配設する。【選択図】図３
0003162749.tif 000002
【実用新案登録請求の範囲】
【請求項１】
1枚の平面状ＬＥＤ基板と、複数の多角形状反射板と、それらを格納する格納器具から成るＬＥＤ防犯灯であって、前記ＬＥＤ基板の背面に接する第一の多角形状反射板と、前記第一の多角形状反射板に接し、前記ＬＥＤ基板に隣接する第二の多角形状反射板と、前記第二の多角形状反射板に接し、前記ＬＥＤ基板に隣接する第三の多角形状反射板と、前記第一から第三の多角形状反射板の両側に隣接して接する多角形状反射板、を少なくとも具備し、かつ、それら多角形状反射板のすべてが平面状ＬＥＤ基板に対し所定の角度を有することを特徴とするＬＥＤ防犯灯。
【請求項２】
前記多角形状反射板が平面状である請求項１記載のＬＥＤ防犯灯。
【請求項３】
前記多角形状反射板の素材がアルミニウムである請求項１ないし２に記載のＬＥＤ防犯灯。
【考案の詳細な説明】
【技術分野】
【０００１】
本考案は、道路等の照明器具に関する。さらに詳しくは、電柱などの支柱に取付け可能な防犯灯に関する。
【背景技術】
【０００２】
道路等の照明器具は、夜間などに良好な視環境を確保し、道路交通の安全、円滑を図るために設置されている。この種の照明器具は、道路の歩道側に設置された支柱等の高所に取付けられるもので、従来、その光源として蛍光ランプやＨＩＤランプが用いられてきた。
【０００３】
かかる照明器具の一つとして防犯灯は、道路面を適度な明るさで照明する必要がある。そのため、防犯灯においては、防犯照明の推奨照度として、社団法人日本防犯設備協会が定める「防犯灯の照度基準」により、クラスＡ、クラスＢの二つの照度基準が定められている。
クラスＡでは、照明効果として４ｍ先の人の概要が分かることが要求される。具体的な照度としては、水平面照度（平均値）が５ルックス、鉛直面照度（最小値）が１ルックスであることが求められている。
一方、クラスＢでは、照明効果として４ｍ先の人の向きや挙動姿勢などがわかることが要求されている。具体的な照度としては、水平面照度（平均値）が３ルックス、鉛直面照度（最小値）が０．５ルックスであることが求められている。
【０００４】
照度基準に加え、防犯灯においては経済的コストを削減することが必要である。つまり、防犯灯の製造コストそのものの削減は当然のことであるが、このことに加えて、設置コストならびに維持コストの削減が求められている。すなわち、防犯灯において照度基準を満たすと同時に広範な配光を達成することにより、一定道路区間に対する防犯灯の設置台数を少なくすることが可能となるため、設置コストの削減を達成することができる。さらに、省電力かつ長寿命で故障しにくい構造とすることにより、光源の交換や修理の回数などを減らすことが可能となり、維持コストの削減を達成することができる。
【０００５】
上記事情を背景として、蛍光ランプやＨＩＤランプと比較して、省エネルギー性や省メンテナンス性に優れた発光ダイオード（Light Emitting Diode、ＬＥＤ）を屋外照明装置の光源として利用した技術が開示されている（特許文献１、特許文献２参照）。
【０００６】
特許文献１には、複数の白色発光ダイオードが配置された平面プリント基板を複数具備した屋外照明器具が開示されている。
特許文献２には、複数のＬＥＤユニットを備えた防犯灯が開示されている。
【先行技術文献】
【特許文献】
【０００７】
【特許文献１】特開２００４−２００１０２号公報
【特許文献２】特開２００８−２１０６５５号公報
【考案の開示】
【考案が解決しようとする課題】
【０００８】
特許文献１、特許文献２ともに、ＬＥＤ基板ないしはＬＥＤユニットを複数用いている。このことは、ＬＥＤ照明器具の材料費を押し上げ、かつ、製造方法も複雑化させてしまう。その結果として、ＬＥＤ照明器具そのものの製造コストを押し上げてしまうこととなり不利である。加えて、複数のＬＥＤ基板等を用いることにより必要となる電力も大きくなってしまう点、および、故障の可能性も高くなりかねずメンテナンス性にも支障をきたしかねない点などにおいても、複数のＬＥＤ基板等を用いた従来技術には問題がある。
【０００９】
これら従来技術に見られるように、照明器具として一定の明るさを保ち、かつ、所定の照度基準を達成するために多数のＬＥＤ光源を使用しており、そのためＬＥＤ基板等を複数用いて、そのような明るさを達成するというのが出願時の技術常識であった。
【００１０】
本考案は、上記事情に鑑み、ＬＥＤ照明器具の製造コストを抑えつつ、省エネルギー性およびメンテナンス性にも優れたＬＥＤ防犯灯を提供するものである。
【課題を解決するための手段】
【００１１】
考案者らは、鋭意研究を重ねた結果、出願時の技術常識に反し、わずか１枚の平面状ＬＥＤ基板を用いたＬＥＤ防犯灯を完成させた。かかるＬＥＤ防犯灯は、ＬＥＤ基板の上下左右、および後方を囲むように複数の反射板を配置させ所定の角度を与えることにより、前述の照度基準を達成することに成功した。これにより、製造コストを抑え、かつ、省エネルギー性およびメンテナンス性にも優れた防犯灯の提供が可能となったものである。
【００１２】
本考案にかかる第一の請求項は、1枚の平面状ＬＥＤ基板と、複数の多角形状反射板と、それらを格納する格納器具から成るＬＥＤ防犯灯であって、前記ＬＥＤ基板の背面に接する第一の多角形状反射板と、前記第一の多角形状反射板に接し、前記ＬＥＤ基板に隣接する第二の多角形状反射板と、前記第二の多角形状反射板に接し、前記ＬＥＤ基板に隣接する第三の多角形状反射板と、前記第一から第三の多角形状反射板の両側に隣接して接する多角形状反射板、を少なくとも具備し、かつ、それら多角形状反射板のすべてが平面状ＬＥＤ基板に対し所定の角度を持たせたことを特徴とする。
【００１３】
なお、本明細書において、「所定の角度」とは、後述する図面２の反射板展開図を組み立てた場合における平面状ＬＥＤ基板１０に対する３軸方向の角度をいい、当業者の技術常識をふまえて照明範囲に大きな差を及ぼさない程度の角度の差を含むものをいう。また、３軸とは、図面２の平面状ＬＥＤ基板１０の短辺方向における軸、長辺方向における軸、および基板面の鉛直方向における軸の３軸をいう。かかる「所定の角度」は、図面２の展開図より当業者であれば一義的に見出すことができるものである。
【００１４】
また、本明細書において反射板などに「接する」とは、反射板の一辺がわずかな隙間もなく他の反射板等に接することまでを要求するものではなく、若干のすきまが生ずることをも含む概念である。加えて、反射板同士が直接に接していることに加え、１枚ないし複数の反射板等を介して間接的に接することをも含む概念である。さらに、本明細書においてＬＥＤ基板等に「隣接する」とは、ＬＥＤ基板と反射板などの二つの板の関係において、それぞれの板が直接的だけでなく、間に他の反射板を含んで間接的に隣り合っている状態も含まれ、それぞれの板の表面で形成される角度が0度より大きく、180度未満のものをいう。
【００１５】
本考案にかかる第二の請求項は、前記多角形状反射板が平面状であることを特徴とする。
【００１６】
本考案にかかる第三の請求項は、前記複数の多角形状反射板の素材がアルミニウムであることを特徴とする。
【考案の効果】
【００１７】
本考案にかかるＬＥＤ防犯灯は、わずか１枚のＬＥＤ基板を用いているのみであるため、製造コストを極限まで抑えることが可能である。加えて、複数の反射板によりＬＥＤの光を反射させていることから、複数のＬＥＤ基板等を用いている従来のＬＥＤ防犯灯と比較して省エネルギー性に優れると同時に所定の照度基準も達成することが可能となる。さらに、反射板をアルミニウム素材とすることにより、ＬＥＤ基板から生ずる熱を拡散しＬＥＤ基板の故障を少なくすることを可能とする。ひいてはＬＥＤ防犯灯の耐久性を著しく向上させるという極めて優れた効果を有する。
【図面の簡単な説明】
【００１８】
【図１】本考案で用いられる平面状ＬＥＤ基板の例
【図２】本考案で用いられる反射板展開図の例
【図３】本考案にかかるＬＥＤ防犯灯の斜視図
【図４】本考案にかかるＬＥＤ防犯灯をコンクリート柱に取付けた図
【考案を実施するための形態】
【００１９】
ここでは、図１から図４を用いて、本考案にかかるＬＥＤ防犯灯を説明する。
【００２０】
本考案で用いるＬＥＤ基板は、照明器具に通常用いられる平面状ＬＥＤ基板を用いることができるが、これに限定するものではない。将来の技術進歩により、より高出力のＬＥＤ光源を具備したり、または安価となったあらゆる平面状ＬＥＤ基板を用いることができる。
【００２１】
図１は、本考案に用いられる平面状ＬＥＤ基板１０の例である。かかる例は、照明器具に通常用いられるＬＥＤ基板であり、ＬＥＤ光源がＬＥＤ基板の短軸方向に５列、長軸方向に１５列、整然と配置されている。かかる平面状ＬＥＤ基板１０を用いることにより、適度な大きさのＬＥＤ防犯灯を作製することが可能となる。
【００２２】
本考案で用いる多角形状反射板は、光を反射するあらゆる形状ないし素材の多角形状反射板を用いることができる。
形状としては、通常用いられるあらゆる形状の反射板を用いることができ、例えば、四角形状や三角形状などの反射板を用いることができる。さらにその反射板面は、平面状であっても歪曲していてもよい。好ましくは、四角形状で、かつ平面状の反射板を用いることができる。これにより製造方法をより簡略化させ、製造コストを削減することが可能となる。
また、多角形状反射板の素材としても通常用いられるあらゆる素材の反射板を用いることができる。好ましくは、アルミニウム素材の反射板を用いることができ、ＬＥＤ基板から発生する熱を拡散させることでＬＥＤ基板の耐久性を著しく向上させることができる。加えて、ＬＥＤ防犯灯の重量も低減化させることが可能となり、ＬＥＤ防犯灯の耐久性を著しく向上させることが可能となる。
【００２３】
図２に、本考案に用いられる反射板の展開図を示す。かかる展開図は、９枚の四角形平面状反射板で構成されている。この反射板は、２４ａと２５ａ、２５ａと２６ａ、２４ｂと２５ｂ、２５ｂと２６ｂが直接的に接することにより、平面状ＬＥＤ基板１０を囲む所定の角度を有した反射板の完成品となる。また、図２に示すとおり、平面状ＬＥＤ基板１０が反射板２１に接して配置される。このことから、前述の「所定の角度」は、反射板２１に対する他の反射板が有する角度と同義となる。すなわち、反射板２１に対し、短軸方向、長軸方向、反射板２１の反射板面に対し鉛直方向、これら３つの軸を基準として、それぞれの軸に対して一義的に決定される他の反射板が有する角度に加え、当業者の技術常識をふまえて照明範囲に差を及ぼさない程度の角度の差を含んだもので「所定の角度」は定義される。照明範囲に差を及ぼさない程度の角度の差として、好ましくは、一義的に決まる反射板の角度から±５度の範囲をいい、さらに好ましくは±３度の範囲をいう。
【００２４】
図２に示す反射板２１、２２、２３は平面状ＬＥＤ基板１０に対し長軸方向に並列しており、いずれも四角形状の形を有する。反射板２１は平面状ＬＥＤ基板１０と平行に、反射板２２および２３は、平面状ＬＥＤ基板１０と向かい合った形で配置される。
【００２５】
図２に示す反射板２４、２５、２６は、反射板２１、２２、２３それぞれの鉛直方向に対し所定の角度を有した形で、それぞれのａとｂの反射板が向かい合った形で配置される。いずれも台形状の形を有している。
【００２６】
図２に示した反射板は一例であり、本考案にかかるＬＥＤ防犯灯に用いる多角形状反射板はこれらの形や大きさに限られるものではない。それぞれの多角形状反射板はＬＥＤ基板に対して所定の角度を有するため、その角度に応じてそれぞれの多角形状反射板の大きさ、形を調整する必要がある。
【００２７】
本考案にかかる格納器具は、前記の平面状ＬＥＤ基板と多角形状反射板を格納する役割を有する。格納する器具ないし部品については、これらに限定するものではなく、電源ユニット等、照明器具に必要な通常の器具等を格納することができる。また、格納器具の形状については、平面状ＬＥＤ基板や多角形状反射板を格納できる限り、特に限定するものではなく、格納器具として用いられる様々な形状を用いることができる。さらに、格納器具には、防犯灯に通常用いられる機能を与えることができる。例えば、格納器具の外部に防水性の塗料を塗布することにより、防錆性、防水性を与えるなどである。これにより、ＬＥＤ防犯灯としての耐久性および省メンテナンス性をさらに高めることが可能となる。
【００２８】
図３の３０は格納器具の一例であり、台形に類似した形状を有している。図３に示すとおり、格納器具３０は、平面状ＬＥＤ基板１０、反射板２１、２３、２４ａ、２５ａ、２６ａ、および電源ユニット４０を格納している。
【００２９】
図４は、本考案にかかるＬＥＤ防犯灯１をコンクリート柱７０に取付けた状態を示している。ＬＥＤ防犯灯１は照明器具取付け金具５０を用いて固定されており、固定部材によって角度調整される。そして、柱取付け金具５１および金属バンド６０により、コンクリート柱７０に取付けられる。
【００３０】
図１および図４に例示した本考案にかかるＬＥＤ防犯灯により、クラスＡで取り付けピッチ17ｍ、クラスＢで取り付けピッチ23ｍの照度基準を達成することが可能となる。これにより、ＬＥＤ防犯灯の製造コストそのものを抑えつつ、省エネルギー性およびメンテナンス性にも優れたＬＥＤ防犯灯の提供が可能となった。
【符号の説明】
【００３１】
１          ＬＥＤ防犯灯
１０        ＬＥＤ基板
２１〜２６  反射板
３０        格納器具
４０        電源ユニット
５０        照明器具取付け金具
５１        柱取付け金具
６０        金属バンド
７０        コンクリート柱
【図１】
0003162749.tif 000003
【図２】
0003162749.tif 000004
【図３】
0003162749.tif 000005
【図４】
0003162749.tif 000006